(57)【要約】【課題】  運動だけでなく日常生活にも活用できるとともに意匠性に優れた運動器具を提供することを目的とする。【解決手段】物掛け兼用運動器具１は、住居内に設置される運動器具であって、互いに離間するとともに床面３に対して平行に設けられ、人が直立姿勢で把持可能な一対の握り棒１ａと、一対の握り棒１ａよりも低い高さ位置に互いに離間して設けられ、布類やハンガーを掛けることのできる一対の物掛けバー１ｂと、一対の握り棒１ａ及び一対の物掛けバー１ｂを支持し床面３もしくは壁面４に固定される固定部１ｃと、を備える。【選択図】図１
2018175207.tif 000002
【特許請求の範囲】
【請求項１】
住居内に設置される物掛け兼用運動器具であって、
互いに離間するとともに床面に対して平行に設けられ、人が直立姿勢で把持可能な一対の握り棒と、
前記一対の握り棒よりも低い高さ位置に互いに離間して設けられ、布類やハンガーを掛けることのできる一対の物掛けバーと、
前記一対の握り棒及び前記一対の物掛けバーを支持し前記床面もしくは壁面に固定される固定部と、を備えることを特徴とする物掛け兼用運動器具。
【請求項２】
前記一対の握り棒は、一方の握り棒の幅方向の中心から他方の握り棒の幅方向の中心までを４５０ｍｍ〜５５０ｍｍの間隔を空けて配置され、且つ、前記床面から前記握り棒の上端までを９５０ｍｍ〜１０５０ｍｍの間隔を空けて設置されることを特徴とする請求項１に記載の物掛け兼用運動器具。
【請求項３】
前記一対の物掛けバーは、床面から物掛けバーの下端までを７５０ｍｍ〜８５０ｍｍの間隔を空けて配置されることを特徴とする請求項１又は２に記載の物掛け兼用運動器具。
【請求項４】
前記一対の握り棒は、前記一対の物掛けバーに対して平面視内側に位置し、
平面視において、前記握り棒の前記物掛けバー側の端縁から前記物掛けバーの前記握り棒側の端縁までの距離は、１５ｍｍ以上空いており、
前記握り棒の下端から該握り棒の直下に位置する前記物掛けバーの上端までの距離は、１１０ｍｍ以上であることを特徴とする請求項１から請求項３のいずれかに記載の物掛け兼用運動器具。
【請求項５】
前記握り棒は、断面視円形に形成されており、
前記握り棒の太さは、直径３０ｍｍ〜４０ｍｍであることを特徴とする請求項１から４のいずれかに記載の物掛け兼用運動器具。
【請求項６】
前記握り棒は、木製で形成されていることを特徴とする請求項１から請求項５のいずれかに記載の物掛け兼用運動器具。
【請求項７】
浴室に隣接し、洗濯機を配置した洗面室であって、
請求項１から請求項６までのいずれかの物掛け兼用運動器具と、
前記物掛け兼用運動器具よりも高い位置に配置されて物を干すと共に懸垂を行うことができる棒状の物干し兼用懸垂器具と、を備え、
前記物掛け兼用運動器具は、前記洗濯機に隣接して設置されることを特徴とする洗面室。
【請求項８】
前記物干し兼用懸垂器具は、前記洗濯機の上部に設置されることを特徴とする請求項７に記載の洗面室。
【発明の詳細な説明】
【技術分野】
【０００１】
本発明は、洗面室に配置され、運動だけでなく日常生活にも活用できるとともに意匠性に優れた物掛け兼用運動器具に関する。
【背景技術】
【０００２】
昨今、多忙な日常生活を送る中で運動不足による身体機能の低下や健康障害などの問題が生じている。従来より、これらの問題を解消するものとして、家庭内で気軽に運動を行える運動器具の提案がなされている。
【０００３】
特許文献１に記載の発明には、寝室に複数のトレーニングマシンを設置した寝室兼用トレーニングルームについて記載されている。この発明では、寝室とトレーニングルームを兼用することにより、トレーニング専用のスペースを設ける必要がなく、省スペース化を図ることができる。また、トレーニングマシンを就寝前に使用することで、効果的な重負荷トレーニングを気軽に行える点が開示されている。
【先行技術文献】
【特許文献】
【０００４】
【特許文献１】特開平７−１６３６７７
【発明の概要】
【発明が解決しようとする課題】
【０００５】
しかしながら、特許文献１に記載のトレーニングマシンは、就寝前の運動を行うためだけに使用されるものであるため、不使用時は活用方法がなく、スペースの有効利用を妨げるという問題がある。また、１つのトレーニングマシンで行える運動は限定されているため、鍛えたい身体の部位ごとに複数のトレーニンングマシンを設置しなければならず、設置費用の増大が予想される。
【０００６】
また、従来家庭内に設置される運動器具は、金属が剥き出しであったり、プラスチックなどの無機質な意匠の器具が多く、インテリアとしての意匠性が乏しく住宅に馴染まず居心地の悪い居住空間を形成する要因となることが多かった。さらに、目的を達成して運動器具が不要になった場合は、場所をとる備品となってしまい、少しでも省スペース化を図りたい住宅において効率的な空間を構築することが難しかった。
【０００７】
そこで、本発明は、上述した課題を鑑みてなされたものであって、運動だけでなく日常生活にも活用できるとともに意匠性に優れた運動器具を提供することを目的とする。
【課題を解決するための手段】
【０００８】
本発明の第１の物掛け兼用運動器具は、住居内に設置される物掛け兼用運動器具であって、互いに離間するとともに床面に対して平行に設けられ、人が直立姿勢で把持可能な一対の握り棒と、前記一対の握り棒よりも低い高さ位置に互いに離間して設けられ、布類やハンガーを掛けることのできる一対の物掛けバーと、前記一対の握り棒及び前記一対の物掛けバーを支持し前記床面もしくは壁面に固定される固定部と、を備えることを特徴としている。
【０００９】
本発明の第２の物掛け兼用運動器具は、前記一対の握り棒は、一方の握り棒の幅方向の中心から他方の握り棒の幅方向の中心までを４５０ｍｍ〜５５０ｍｍの間隔を空けて配置され、且つ、前記床面から前記握り棒の上端までを９５０ｍｍ〜１０５０ｍｍの間隔を空けて設置されることを特徴としている。
【００１０】
本発明の第３の物掛け兼用運動器具は、前記一対の物掛けバーは、床面から物掛けバーの下端までを７５０ｍｍ〜８５０ｍｍの間隔を空けて配置されることを特徴としている。
【００１１】
本発明の第４の物掛け兼用運動器具は、前記一対の握り棒は、前記一対の物掛けバーに対して平面視内側に位置し、平面視において、前記握り棒の前記物掛けバー側の端縁から前記物掛けバーの前記握り棒側の端縁までの距離は、１５ｍｍ以上空いており、前記握り棒の下端から該握り棒の直下に位置する前記物掛けバーの上端までの距離は、１１０ｍｍ以上であることを特徴としている。
【００１２】
本発明の第５の物掛け兼用運動器具は、前記握り棒は、断面視円形に形成されており、前記握り棒の太さは、直径３０ｍｍ〜４０ｍｍであることを特徴としている。
【００１３】
本発明の第６の物掛け兼用運動器具は、前記握り棒は、木製で形成されていることを特徴としている。
【００１４】
本発明の洗面室は、浴室に隣接し、洗濯機を配置した洗面室であって、第１から第６までのいずれかの物掛け兼用運動器具と、前記物掛け兼用運動器具よりも高い位置に配置されて物を干すと共に懸垂を行うことができる棒状の物干し兼用懸垂器具と、を備え、前記物掛け兼用運動器具は、前記洗濯機に隣接して設置されることを特徴としている。
【００１５】
本発明の洗面室は、前記物干し兼用懸垂器具は、前記洗濯機の上部に設置されることを特徴としている。
【発明の効果】
【００１６】
本発明の物掛け兼用運動器具によると、人が直立姿勢で把持可能な一対の握り棒と、布類やハンガーを掛けることのできる一対の物掛けバーとを備えているので、握り棒を把持して運動を行うことができるとともに、運動を行わない場合にも物掛けとして使用することができ、日常生活においても有効活用することができる。
【００１７】
本発明の物掛け兼用運動器具によると、一対の握り棒は、一方の握り棒の幅方向の中心から他方の握り棒の幅方向の中心までを４５０ｍｍ〜５５０ｍｍの間隔を空けて配置され、且つ、床面から握り棒の上端までを９５０ｍｍ〜１０５０ｍｍの間隔を空けて設置されるので、男女共に無理なく一対の握り棒の間に直立して各握り棒を両手で把持することができる。また、一対の握り棒を把持してディップス運動や足挙げ腹筋、片足スクワットなど複数の運動を１つの運動器具で行うことができる。
【００１８】
本発明の物掛け兼用運動器具によると、一対の物掛けバーは、床面から物掛けバーまでの下端までを７５０ｍｍ〜８５０ｍｍの間隔を空けて配置されるので、大判のバスタオルを物掛けバーにかけても床面に接触することがなく、使い勝手のよい物掛け棒とすることができる。
【００１９】
本発明の物掛け兼用運動器具によると、一対の握り棒は、一対の物掛けバーに対して平面視内側に位置し、平面視において、握り棒の前記物掛けバー側の端縁から物掛けバーの握り棒側の端縁までの距離は１５ｍｍ以上空いており、握り棒の下端から握り棒の直下に位置する物掛けバーの上端までの距離は、１１０ｍｍ以上であるので、両手で握り棒を把持して運動を行う際に、タオル類を物干しバーに掛けていても身体に触れることがなく、快適に運動を行うことができる。
【００２０】
本発明の物掛け兼用運動器具によると、一対の握り棒を構成する２つの握り棒は、それぞれ断面視円形で形成され、握り棒の太さは直径３０ｍｍ〜４０ｍｍで形成されるので、運動時に握り易く強度上安心感をもって運動することができる。
【００２１】
本発明の物掛け兼用運動器具によると、一対の握り棒は、一般住宅の手摺に使用される木製で形成されているので、インテリアとしての意匠性を向上させることができるとともに、握り棒を把持した時に良好なグリップを確保することができる。
【００２２】
本発明の洗面室によると、第１から第６の物掛け兼用運動器具と、物掛け兼用運動器具よりも高い位置に配置されて物を干すと共に懸垂を行うことができる物干し兼用懸垂器具と、を備えているので、運動を行わない場合にも運動器具と懸垂器具を物掛けや物干しとして使用することができる。また、物掛け兼用運動器具は洗濯機に隣接して設置されているので、物掛けバーに掛けられたタオルを入浴後や運動後に使用したり、使用済タオルを隣接する洗濯機にそのまま投入することができる。したがって、運動機能を有しながらも日常生活において効率的に家事を行うことができる洗面室空間を構築することができる。
【００２３】
物干し兼用懸垂器具は洗濯機の上部に設置されるので、空間を有効利用することができ、省スペース化を図ることができる。
【図面の簡単な説明】
【００２４】
【図１】物掛け兼用運動器具を示す斜視図。
【図２】物掛け兼用運動器具の別の形態を示す斜視図。
【図３】図１の平面図。
【図４】握り棒と物掛けバーが壁面に平行となる場合の握り棒と物掛けバーの設置状況を示す斜視図。
【図５】物掛け兼用運動器具の使用状況を示す斜視図。
【図６】物掛け兼用運動器具の別の使用状況を示す斜視図。
【図７】物掛け兼用運動器具を設置した洗面室を示す斜視図。
【図８】物掛け兼用運動器具を設置した洗面室を示す平面図。
【図９】図８のＡ−Ａ展開図。
【図１０】物掛け兼用運動器具を設置した別の洗面室を示す平面図。
【発明を実施するための形態】
【００２５】
以下、物掛け兼用運動器具１の最良の実施形態について各図を参照しつつ説明する。なお、この物掛け兼用運動器具１は、図７に示すように、主に住宅内の洗面室２に設置されるが、設置場所は特に限定されることはなく、居室に設置してもよい。
【００２６】
物掛け兼用運動器具１は、住居内に設置される運動器具であって、図１に示すように、互いに離間するとともに床面３に対して平行に設けられ、人が直立姿勢で把持可能な一対の握り棒１ａと、一対の握り棒１ａよりも低い高さ位置に互いに離間して設けられ、布類やハンガーを掛けることのできる一対の物掛けバー１ｂと、一対の握り棒１ａ及び一対の物掛けバー１ｂを支持し床面３もしくは壁面４に固定される固定部１ｃと、を備えている。このような物掛け兼用運動器具１は、運動時に使用者が自己の体重を負荷しても使用者の身体を支持することのできる剛性を有している。
【００２７】
握り棒１ａは、人が運動時に把持することができる細長の棒である。図１に示すように、一対の握り棒１ａは、一方の握り棒１ａの幅方向の中心から他方の握り棒１ａの幅方向の中心までを４５０ｍｍ〜５５０ｍｍの間隔Ｌ１を空けて配置され、且つ、床面３から握り棒１ａの上端までを９５０ｍｍ〜１０５０ｍｍの間隔Ｌ２を空けて設置される。このような配置関係であれば、男女共に無理なく握り棒１ａの間に立って両側に位置する握り棒１ａを把持することができる。
【００２８】
また、握り棒１ａは、断面視円形に形成され、握り棒１ａの直径は、３０ｍｍ〜４０ｍｍ程度で形成されている。このような太さであれば、運動時に握り易く強度上安心感をもって運動することができる。さらに、握り棒１ａは木製で製作され、周囲に馴染みやすく温かみのある外観を有するとともに、把持した時に良好なグリップを確保することができる。
【００２９】
物掛けバー１ｂは、図１に示すように、握り棒１ａよりも低い高さに設置され、握り棒１ａと同じ長さを有する細長な棒である。また、その材質は断面視円形に形成された鋼材であり、周囲の意匠に合わせて鋼材の表面に仕上げ塗装を行っている。なお、物掛けバー１ｂは、必ずしも断面を円形にする必要はなく、断面視矩形でも問題はない。
【００３０】
一対の物掛けバー１ｂは、床面３から物掛けバー１ｂの下端までを７５０ｍｍ〜８５０ｍｍの間隔Ｌ３を空けて配置される。このような高さであれば、大型のバスタオルでも床面に接触することなく物掛けバー１ｂに掛けることができる。
【００３１】
このように上下に配置される握り棒１ａと物掛けバー１ｂは、図１に示すように、握り棒１ａの下端から握り棒１ａの直下に位置する物掛けバー１ｂの上端までの距離を１１０ｍｍ以上の間隔Ｌ４を空けて配置される。また、図３に示すように、一対の握り棒１ａは、一対の物掛けバー１ｂに対して平面視内側に位置しており、平面視において、握り棒１ａの物掛けバー１ｂ側の端縁から物掛けバー１ｂの握り棒１ａ側の端縁までの距離Ｌ５は、１５ｍｍ以上空いている。このような配置関係であれば、運動時に使用者が握り棒１ａを把持しても、物掛けバー１ｂ又は物掛けバー１ｂに掛けられたタオル類が身体に干渉することはなく、快適に運動を行うことができる。
【００３２】
固定部１ｃは、図１に示すように、握り棒１ａ及び物掛けバー１ｂの長手方向の端部に設置されて各棒を支持するとともに床面３や壁面４に固定される部材である。また、その材質は鋼材であり、周囲の意匠に合わせて鋼材の表面に仕上げ塗装を行っている。
【００３３】
図２に示すように、握り棒１ａ及び物掛けバー１ｂが壁面４対して直交する場合は、固定部１ｃを床面３及び壁面４に固定することができる。このとき、固定部１ｃは、握り棒１ａ及び物掛けバー１ｂの長手方向の壁面４側と反対側の端部に設置されて各棒の一端部を支持する第１支持部１１と、第１支持部１１の長手方向の床面３側の一端から床面３に対し平行方向へ突出して床面３に当接する床当接部１２と、握り棒１ａ及び物掛けバー１ｂの長手方向の壁面４側の端部に設置されて各棒を支持するとともに壁面４に当接する第１壁面当接部１３と、を備えている。
【００３４】
第１支持部１１の握り棒１ａ及び物掛けバー１ｂの端部に当接する部分は、握り棒１ａ及び物掛けバー１ｂの位置に合わせて床面３に対し傾斜しており、第１支持部１１の物掛けバー１ｂから床当接部１２までの間は床面３に対して直交するように形成されている。また、床当接部１２には、固定部１ｃを床面３に固定するビス１ｄを挿入するための第１貫通孔１２ａが形成され、第１壁面当接部１３には、固定部１ｃを壁面４に固定するビス１ｄを挿入するための第２貫通孔１３ａが形成される。
【００３５】
また、図４に示すように、一方の握り棒１ａ及び一方の物掛けバー１ｂを壁面４に対して平行に設置する場合、固定部１ｃは、壁面４のみに固定することができる。このとき、固定部１は、握り棒１ａ及び物掛けバー１ｂに直交し、且つ、握り棒１ａ及び物掛けバー１ｂの長手方向の両端部に設置されて各棒を支持する４つの第２支持部１４と、第２支持部１４の壁面４側の一端から壁面４に対し平行方向へ突出し、且つ、壁面４に当接する４つの第２壁面当接部１５を備える。また、第２壁面当接部１５には、固定部１ｃを壁面４に固定するビス１ｄを挿入するための第３貫通孔１５ａが形成されている。
【００３６】
なお、図４に示す設置方法とする場合、第２支持部１４の長さは、握り棒１ａの壁面４側の縁端から壁面４までの距離Ｌ６が５０ｍｍ以上となるように調整している。したがって、運動時に握り棒１ａを把持した際、手指が壁面４に接触することなく快適に運動を行うことができる。
【００３７】
このように形成される物掛け兼用運動器具１は、設置される位置に応じて固定方法を選択することができる。すなわち、図１に示すように、一方の握り棒１ａ及び一方の物掛けバー１ｂを壁面４のみに固定し、他方の握り棒１ａ及び他方の物掛けバー１ｂを床面３及び壁面４に固定したり、また、図２に示すように、両方の握り棒１ａ及び物掛けバー１ｂを床面３及び壁面４に固定してもよい。なお、物掛け兼用運動器具１を設置する際は、図２及び図４に示すように、床当接部１２の第１貫通孔１２ａ、第１壁面当接部１３の第２貫通孔１３ａ及び第２壁面当接部１５の第３貫通孔１５ａにそれぞれビス１ｄを挿入して物掛け兼用運動器具１を床面３及び壁面４に固定することができる。
【００３８】
物掛け兼用運動器具１は、図５に示すように、握り棒１ａを把持する両腕で下半身を支持するディップス運動を行うことができ、また図示しないが、片足挙げ腹筋や片足スクワットを行う際の補助として使用することができる。さらに、図６に示すように、足置き台Ｂを配置して逆さ腕立て伏せを行うこともできる。したがって、１台の物掛け兼用運動器具１で複数の運動を行うことができるので、複数の運動器具を揃える必要がなく、省スペース化を図ることができる。また、これらの運動は、図５に示すように、物掛けバー１ｂにタオル類を掛けたままでも行うことができる。そして、物掛け兼用運動器具１を運動器具として使用しない場合には、物干しハンガー類を物掛けバー１ｂに掛けておいてもよい。
【００３９】
また、物掛け兼用運動器具１は、従来の運動器具のように剥きだしの金属やプラスチックで形成された機械的な意匠の運動器具ではなく、握り手部分を木製で形成し、その他の鋼材部分を塗装仕上げとしているので、周囲の意匠に馴染みやすくインテリアとしての意匠性に優れた空間を構築することができる。
【００４０】
次に、物掛け兼用運動器具１を設置した洗面室２について説明を行う。洗面室２は、図８に示すように、浴室５に隣接しており、洗面室２と浴室５を隔てる第１壁体６１と、洗面室２を挟んで第１壁体６１に対向する第２壁体６２と、第１壁体６１及び第２壁体６２に直交し、且つ、洗面室２を挟んで互いに対向する第３壁体６３及び第４壁体６４によって平面視矩形に形成されている。
【００４１】
図７及び図８に示すように、第１壁体６１の第４壁体６４側の端部には、出入口６ａが設けられており、第４壁体６４の第１壁体６１側の端部には、出入口６ｂが設けられている。また、第３壁体６３の洗面室２側の壁面６３ａに沿って第２壁体６２側から順に洗面カウンター７、洗濯機８、物掛け兼用運動器具１が設置されており、洗面カウンター７と洗濯機８との間には、第３壁体６３から第４壁体６４に向けて突出する袖壁６５が設けられている。
【００４２】
図７及び図９に示すように、物掛け兼用運動器具１及び洗濯機８の上部には、物を干すと共に懸垂を行うことができる棒状の物干し兼用懸垂器具９が配置されており、物干し兼用懸垂器具９は、長手方向の両端を第１壁面６１と袖壁６５に固定されている。
【００４３】
このように、洗面室２に物掛け兼用運動器具１と物干し兼用懸垂器具９を設置することにより、入浴前後に各器具を使用して運動を行うことができるとともに、運動を行っていない時は各器具にタオルや洗濯物の衣類、物干しハンガーなどを掛けておくことができ、限られたスペースの中で運動だけでなく家事も円滑に行うことができる効率的な空間を構築することができる。なお、説明した洗面室２の構成は一例であって、図１０に示すように、洗面カウンター７と洗濯機８を第２壁体６２の壁面に沿わせて配置してもよく、またそれ以外の配置構成であってもよい。
【００４４】
また、本発明の実施の形態は上述の形態に限ることなく、本発明の思想の範囲を逸脱しない範囲で適宜変更することができることは云うまでもない。
【産業上の利用可能性】
【００４５】
本発明に係る物掛け兼用運動器具及び洗面室は、住宅建物に対して好適に使用することが出来る。
【符号の説明】
【００４６】
１    物掛け兼用運動器具
１ａ  握り棒
１ｂ  物掛けバー
１ｃ  固定部
２    洗面室
３    床面
４    壁面
８    洗濯機
９    物干し兼用懸垂器具
【図１】
2018175207.tif 000003
【図２】
2018175207.tif 000004
【図３】
2018175207.tif 000005
【図４】
2018175207.tif 000006
【図５】
2018175207.tif 000007
【図６】
2018175207.tif 000008
【図７】
2018175207.tif 000009
【図８】
2018175207.tif 000010
【図９】
2018175207.tif 000011
【図１０】
2018175207.tif 000012